(57)【要約】【課題】本発明は家屋などにおけるドアに設けられる鍵などが、ピッキングによって開錠されるという犯罪を防止することを課題としており、ピッキングのための道具が鍵穴に指しこまれて回転動作させることにより開錠することのないよう、ピッキング動作を阻止することを目的とする。【解決手段】鍵の本体において鍵を指しこむ鍵穴のある面で、指しこむ鍵穴幅より大きい円周上に、鍵穴の指しこむ方向と反対方向に突起物を設けるか、または突起物のある部品を組合せもしくは別途貼りつけることによりピッキング動作を妨害し、開錠を阻止するもので、ピッキング道具を用いても突起物が妨害して道具を操作しにくくするもので、新規の鍵に取り付けておくほか、既存の鍵にも貼りつけ可能であり、ピッキングに時間がかかりすぎるため防犯効果が得られる。【選択図】図１
2005220680.tif 000002
【特許請求の範囲】
【請求項１】
鍵穴を有する鍵本体の鍵を指しこむ鍵穴のある面において、指しこむ鍵の鍵穴幅より大きい円周上に、鍵穴の鍵を指しこむ方向と反対方向に突起物を設けるか、または突起物のある部品を組合せるかもしくは別途貼りつけることを特徴とするピッキング防止装置。
【請求項２】
突起物または突起物のある部品が棒状もしくは板状であって、鍵本体の鍵穴幅より大きい円周上に１個もしくは複数個設けたことを特徴とする請求項１記載のピッキング防止装置。
【請求項３】
突起物または突起物のある部品が円弧状であって、鍵本体の鍵穴幅より大きい円周上に１個もしくは複数個もしくは円周全面に設けたことを特徴とする請求項１記載のピッキング防止装置。
【請求項４】
突起物または突起物のある部品が鍵本体の鍵穴幅分の長さもしくはこの長さを超える長さを直径とした内径を有するパイプ状物であって、指しこむ鍵穴幅より大きい円周上に設けたことを特徴とする請求項１記載のピッキング防止装置。
【請求項５】
突起物または突起物のある部品が鍵穴幅分もしくは鍵本体の外径の直径分もしくはこれらの寸法を超える長さを直径とする穴を設けた自由形状物であって、端面に突起物を設け、反対端面は平面状で接着可能な手段を施すかもしくは施せるようにしてあって、既存の鍵本体および／または鍵本体の周囲平面体に貼りつけられるようにしたことを特徴とする請求項１記載のピッキング防止装置。
【発明の詳細な説明】
【技術分野】
【０００１】
本発明は家屋やマンション、事務所、倉庫、自動車、金庫、鍵本体など鍵を用いて施錠するものにおいて、鍵穴にピッキング道具を指しこみピッキング開錠することを防止もしくは阻止するものである。新規の鍵にあらかじめ取り付けておけば付加価値が上がるものであるが、特に既存の鍵においてもピッキングを防止もしくは阻止できる装置であり、防犯効果の高いピッキング防止装置に関するものである。
【背景技術】
【０００２】
従来鍵は施錠により関係者以外の人間が侵入したり、機器の操作を防止するなどのために設けられるものであるが、近年ピッキングによる開錠で家屋やマンションにおいて貴重品が盗難にあったり、自動車や金庫が盗まれたりして、ピッキングの被害が多発し問題になっている。
ピッキングは古来から鍵を開錠する方法として存在するが、特殊な専用道具ができたりして、素人でも少し学習すればピッキング可能な時代となってしまっている。
【０００３】
これを防止するため、鍵の構造を複雑にしたものが製作されている。また高度な施錠方法として暗証番号を使うものや、リモコンを使うもの、指紋、声紋、網膜など個人の固有情報を検出して施錠したものを開錠するという電子技術を使った鍵なども製造されている。
これらの技術は高価であり、普及には個人の収益が影響して即座に一般化するものではない。また現状においてすでに建築されたり、製造されている物件の施錠装置において防犯のための提案が鍵を２重にしたり、取りかえるもので、例えば２重のものは鍵が２つということで２度手間であり、取りかえるものは費用が高価である。
また、鍵の操作から考察して大人を対象としており、子供が操作したい場合は子供のストレスになるものである。
特に２重鍵の場合は鍵が高い位置に付けられたりして、子供では操作できない場合がある。
従って両親が共稼ぎで鍵を持たされている子供には、２重鍵や高価な鍵の取り替えなど望めない状況である。
【０００４】
この改善策として、既存の鍵穴を塞ぐ別の装置を用いる方法が提案されている。例えば鍵穴においてシリンダープラグとシリンダー胴とを貫通して光を導通するように構成し、開錠は、鍵穴に鍵を挿入することで複数の導光路中所定の導光路のみを導通状態とする透光孔を設けるような複雑なものや、鍵穴に挿入される挿入体を設け、それ自体の存在が外部から分かりにくいようにし、かつ手などで引張ることを困難とする抜止め用の弾性部材を挿入し、挿入体の先端は、鍵の先端と同一形状に形成されているものなどが提案されている。
しかし、問題点として鍵が複雑すぎると紛失に備えたり、家族の人数分揃えるなどの理由による合鍵の製作が困難なものか、もしくは不可能なものになる。鍵の一部に透過孔を設けるものなどはその位置が少しでも狂えば使用できないものであり、作ったとしても技術的に高価な代償が必要となる。
また、鍵穴自体を別の鍵状のもので閉鎖する技術においては、結果的に合鍵と鍵穴を閉鎖している挿入体を取り外す道具または鍵が必要であり、２度手間となり２重鍵の場合と同じように鍵を２つ持っていなければならないという条件が、２つの鍵を紛失しないようにということと、鍵を開けるのに時間が２倍かかるというストレスへとつながることとなる。
従って鍵はあくまでも１つで済み、合鍵の製作も安価にでき、かつピッキングされにくいという鍵と鍵本体のセットがあれば便利である。さらに既存の鍵にも簡単に装着可能な装置によって鍵自体を変えなくても済むピッキング対策も望まれる。
【０００５】
【特許文献１】特開１９９３−２７２２６２号公報
【特許文献２】特開１９９７−１９５５９７号公報
【発明の開示】
【発明が解決しようとする課題】
【０００６】
発明が解決しょうとする課題は、家屋や車、金庫の扉などあらゆる場所に設けられる防犯用の鍵などが、ピッキングによって開錠されるという犯罪を防止もしくは阻止することにある。
ピッキングという行為は、鍵が発明され使用された時代から様々な手段によって行われている歴史がある。古くからピン止めや針金を加工したり、専用の道具を作ってピッキング行為は行われている。現在の道具はこれらの歴史を土台として進歩した巧妙なものがあり、複数の道具を用いたりして数秒から数分で開錠することが出来るという状況である。
つまり鍵が進歩して複雑になってきてもその鍵が鍵穴を有する以上ピッキングされる行為を阻止することは出来ない。従って電子技術を利用した指紋などの照合による開錠設備は本発明には関係なく、あくまでも鍵と一般的にシリンダーと称されている鍵穴を有する鍵本体で構成されるものに適用する装置に関するものである。
なお、この装置は新規な鍵の製造において採用できるのは当然として、すでに設置されている鍵などにも取付けることによってピッキングを防止もしくは阻止することを課題としている。
【課題を解決するための手段】
【０００７】
鍵穴を有する鍵本体の鍵を指しこむ鍵穴のある面において、指しこむ鍵の鍵穴幅より大きい円周上、望ましくは鍵の手で持つ部分の幅より大きい円周上に、鍵穴の鍵を指しこむ方向と反対方向に突起物を設けるか、または突起物のある部品を組合せるかもしくは別途貼りつけることを特徴とするピッキング防止装置であって、この突起物がピッキング操作を防止もしくは阻止する役目を果すものである。
なお、突起物の設ける位置は鍵の回転開錠操作を阻止したり、供回りするという問題が発生しない位置である。また鍵穴幅とは鍵穴自体の長さを直径とする円周を指しており、それより大きい円周とは鍵穴を有する鍵本体の円周より外の円周上も含むものである。
さらに鍵穴自体の長さとは鍵本体の中の鍵を指しこむ穴の奥行きの長さを指しているものではなく、鍵穴として見えている穴の両端部間の長さであって鍵の厚みではない。
ここでいう突起物または突起物のある部品とは、棒状、板状、パイプ状、円柱状、バネ状、文字、絵やキャラクタ、自由にデザインされた模様などであって、１つもしくは複数設けることができ、複数設ける場合には一定の形状で揃えたり、異なる形状のものを組合せて設けることができるものである。
突起物または突起物のある部品が棒状もしくは板状にする場合において、鍵本体の鍵穴幅より大きい円周上に１個もしくは複数個設けたピッキング防止装置とすることができるが、その形状は自由形状で長さも自由な円柱状、多角形状、Ｔ字状、波状などで太さや厚みが一定であっても異なっていてよい、また長さ方向の平面に凹凸もしくは螺旋もしくは曲線を設けたもの、さらにこれらを組合せた複雑な面を有するものであってもかまわない。
Ｔ字状とは断面がＴ字状であって、頭部は多角形状、球状、碇状など、どのような形状でもよい。
また複数個設ける場合、その長さ、および／または太さ、および／または形状が一定であっても異なっていても、組合せていてもかまわない。
【０００８】
突起物または突起物のある部品が円弧状であって、鍵本体の鍵穴幅より大きい円周上に１個もしくは複数個設もしくは円周全面に設けるピッキング防止装置とすることもできる。
円弧状突起物の先端面はピッキング阻止のための形状加工として平面や曲面に傾斜加工したり、波状や凹凸状にしたりすることができる。
凹凸状は鍵穴の鍵を指しこむ方向と反対方向に突起物を設けた先端部の形状であり、その形状が多角形状、球状、碇状などどのような形状でもよく、さらに円弧状に構成するにあたり、円弧の縦曲面部分に凹凸を設けたり、波形に円弧の曲面を構成したり、穴を設けてあってもよい。
また突起物または突起物のある部品が鍵本体の鍵穴幅分の長さもしくはこの長さを超える長さを直径とした内径を有するパイプ状で、指しこむ鍵穴幅より大きい円周上全面に設けたピッキング防止装置であってもよい。
パイプ状突起物の先端部はピッキング阻止のための形状加工がされるが、円弧状と同様に平面や曲面に傾斜加工や、波状や凹凸状に加工される。さらにパイプ状の縦方向で外周面や内周面となる平面や曲面部分に凹凸を設けたり、波形に構成したり、穴を設けてあってもよい。
【０００９】
さらに鍵本体の外直径以上を内径とした穴を設けた形状物であって、端面に突起物を設け、反対端面は平面状で接着可能な手段を施すか、もしくは施せるようにしてあって、既存の鍵本体及びまたは鍵本体の周囲平面体に貼りつけられるようにしたピッキング防止装置を構成すれば、既存の鍵に取りつけられるものとなる。
接着可能な手段を施す端面が平面状とは基本的に接着剤を塗布できる平面部分が存在するということであって全面的であることが望ましいが、接着剤を取付けるためや、吸盤効果をもたらせるためなどを理由とした凹部が設けられていてもよいし、鍵本体を通す穴以外に自由形状の穴があっても構わない。材料の節約やデザイン上の理由で接着剤をつける平面部面積を節約してもよいものである。
なお、既存の鍵本体自体に多少の段差がある場合は、接着可能な手段を施す面側を段差に合うよう平面形状を構成してもよい。
接着可能な手段には接着剤を用いるほか、ネジなども使えるがドライバなどの器具で簡単に取り外せるものであってはならない。ネジ自体に接着剤を塗布しておいたり、隠しネジにするなどの工夫が必要である。
また扉の取っ手自体に鍵が付いており、鍵部分が取っ手の端部より深い部分にあるよう取っ手が曲面や平面で構成されている場合は、接着可能な手段を施す面側をこの形状に合わせるとともに、凹凸部分が取っ手端部よりはみ出すよう構成してもよい。
さらに一般の鍵はドアの取っ手の上に離れて付いているものが多く、この場合は穴を鍵本体の外直径を内径とした穴を設けた構成とし、ドアの平面部分を接着部分としてもよい。
そして、凹凸部分は単なる自由形状の凹凸ではなく、動物や生物を形取って楽しいピッキング防止装置とすることができる。
鍵本体の外直径を内径とした穴の形状は丸に限るものではなく四角でも多角でも楕円でも自由デザイン形状でも構わない。鍵本体を通過させることが目的である。
鍵本体の外直径以上を内径とした穴を設け、端面に突起物を設け、反対端面は平面状で接着可能な手段を施した部品の穴部分の厚みは自由であるが、鍵本体自体の出っ張り高さに合う高さであることが望ましい。しかし多少の厚み違いは機能の障害とはならない。現実的に鍵によって出っ張りがないものから１ｃｍ以上もある場合もあり、鍵の出っ張り高さに合わせて各種の厚み部品を製造することとなる。
なお、１ｃｍ以上も高さがある鍵の場合は、先に記載した円弧状やパイプ状の突起物の内側面に接着剤を施すようにして用いることも出来る。
どの場合も装置を構成する材料は金属、強化樹脂、陶器、硬質ゴムなど硬質物を利用するのがよいが、多少軟質でもかまわない。そして色彩も自由であり、透明材質でもよい。
凹凸部分のみを軟質にしてピッキング動作を固定しにくくすることでさらに阻止効果を向上させたり、凹凸部分や凹凸部品が多少回動するよう構成してピッキング動作を阻止する機能を向上させることなどができる。
またピッキング防止装置を破壊したり、剥がしたりすると音が出るよう機能を付加しておくことも可能である。
【発明の効果】
【００１０】
本発明のピッキング防止装置は、新規の鍵製造時に形取って製造するか、部品として製造し組合せることでピッキングの防止や阻止する機能が加えられるため、鍵としての付加価値があがり、産業上の利益向上に貢献するものである。
また別途貼りつけられるよう構成した本発明のピッキング装置は既存の鍵に装着することができ、簡単に既存鍵の防犯効果を強化することができる。
どちらも鍵の操作は一度で済むため、開閉操作は従来と変わりなく違和感や複雑めんどう感がなく、子供にも鍵の操作負担がかからない。
また、貼りつけられる装置は溶剤を用いて剥がしたり、根気よく剥がすことで取り去ることもでき、引越しや取り替えたい場合に対応できる利点がある。
なお、手の力や道具で剥がそうとしても剥がれづらい程度の接着手段を取っておくことは当然だが、これを急いで無理やり剥がそうとするとドアが振動し、音が発生するのでピッキングしようとするものが剥がすことは周囲に異常を知らせることにもなり、ピッキング防止効果はさらに向上する。これを破壊しようとすると破壊音が出て同じ効果が得られる。
簡単な構造で、鍵本体に組込み構成することも、鍵本体とは別に取りつけ構成することもでき、安価に防犯対策が可能であるとともに、新規にも既存にも対応できるので汎用性が大きく、かつ消費者の操作負担がない防犯装置である。
貼りつけ可能な装置は犬猫などペットや、熊や像や花などの生物を形取ったり、キティちゃんやミッキーマウスなどのキャラクタを形取ったりすることで、鍵の位置が明確になり子供にも受け入れやすくかつ楽しい装置となって防犯効果以外に自宅の判別効果や夜間の鍵位置の判別効果もあるうえ、視力障害者の施錠操作を補助する効果もあるものである。
なお、このような効果は組立部品でも製造段階で形取りした装置でも、貼りつけ可能な装置と同様に得られるものである。
【発明を実施するための最良の形態】
【００１１】
ピッキング防止や阻止のため一つの鍵以外の別の手段を付加して設ける必要がなく、一つの鍵の構造に突起物を設けるという簡単な方法で最大のピッキング防止もしくは阻止効果が得られる。
新規の鍵本体に設ける場合も、既存の鍵本体に貼りつけ装着する場合も、鍵側の指で持つ部分の縦長さを内径とした円周上に突起物の内側壁面があることが最良の手段で、この位置は鍵の回転動作の邪魔にならなくピッキング道具の操作の邪魔になるという関係にある。
一般に鍵は回転を一方向に一周させるものではなく、たいていは９０度から１８０度回転程度で施錠するものなので鍵側の指で持つ部分の縦長さにこだわらなくても良いが、鍵穴の円周と鍵側の指で持つ部分の縦長さの円周には多少の幅があり、その両者の円周の間を突起物の取りつけ位置にするには、回転動作に支障のない位置とすることが当然の処置である。
なお、左回りに１８０度未満で施錠し、右回りに１８０度未満で開錠するもの、つまりほぼ３６０度を回転動作範囲とするものもあり、このような場合は取付け位置によって施錠回転動作に支障が生じる位置が発生し、しかも鍵の種類によって異なる位置が発生するため設計段階で研究しておく必要がある。
従って鍵側の指で持つ部分の縦長さの円周の外となる円周上を取付け位置として設けるのが設計も簡単であり、形も位置も自由に配置できる。
また鍵本体の外円周の直径を内径とする穴を持つ貼りつけ装置を構成した場合は、突起物がどのような形状でも鍵の回転動作に支障がないが、ピッキング動作の阻止機能の低下が予測されるので、この場合は鍵本体の外円周直径を内径とする穴のさらに内側であって鍵を回転動作させるのに支障のない位置まで突起物先端を内側に入りこませるよう構成すると、先の効果と同じ高い防犯効果を得ることができる。
【実施例１】
【００１２】
本発明の実施は建物のドア以外に車など色々な鍵に適用できるものであるが、基本的技術思想は同じなので、建物のドアに取り付けられる鍵を代表例として説明するものである。
図１は本発明の１実施例の斜視断面図であって突起物が鍵本体に構成されたものを示す。
突起物の構成方法としては鋳型段階で構成してもよいし、別途に接着剤や溶接による固定をしてもよいし、打ちぬき成形してもよいし、ねじ込み固定したものでもよく、既存技術で対応できることはどのような手段でも用いることが可能である。
鍵２は図示のごとく鍵ごとに異なる凹部を設けた鍵穴に指しこむ部分と鍵を手で持つ部分が一体構成されており、鍵穴を有するシリンダの外周であってかつ施錠回転するための回転円周４と一致する鍵の端部１７や、鍵を施錠回転するときに生じる鍵の手で持つ縦長さを直径とする回転円周７を構成する鍵の手で持つ部分の端部１８などが存在する。
鍵本体１は鍵２が指しこまれる鍵穴３を有しておりこの鍵穴３を有する部分はシリンダと言われ鍵２を指しこんで回転動作させると同時に回転するもので、その外周は鍵穴を有するシリンダの回転円周となっている。
鍵本体１の外周５はドア１５に開けられた穴に取り付けられ、一般的には多少図示のごとくドア表面から飛び出している。ドア表面と鍵面が一致するように取りつけられるものもあるし、図示以上に大きく飛び出しているものもある。また、ドアの取っ手１６と一体構成されているものもある。
鍵穴の長さを直径とする円周６は突起物を設けることが出来る最小円周で、突起物はこれ以上の直径円周上に設けられ、その最大はドア１５の端部をはみ出さない程度である。ドアとドア枠や建物の壁などの構造によっては、多少はみ出ても機能に支障はないが、ドア端部からはみ出た部分はドア以外の他のものに接着しないよう構成するものである。
また、突起物は鍵の回転によるシリンダの回転と供回りしてはならないので、突起物の実際の固定部分は鍵穴を有するシリンダの回転円周４以上の円周上であって、突起物の先端が鍵穴の長さを直径とする円周６まで凹凸や曲げなどによって達してもよいということである。
回転に支障なければ鍵穴近くまで突起物の端部が達していても良いように思われるが、鍵を指しこむ操作や回転操作時に手の指が接触し回転に支障をきたす。
突起物は適切な場所であれば１つでも充分機能するが、複数あったほうが防犯効果は高い。
鍵本体１の外周５の外に固定して設けた例として、正面から見ると半月状の棒体で長さが短い突起物８や、断面Ｔ字状の突起物１０や、棒体の端部に一方向へ凸部を設けた突起物１２などがある。
形状は図示されたものに限らず棒状部分は多角形でも、円柱体でも構わない。
鍵の手で持つ縦長さを直径とする回転円周７の外に設ける例として、断面逆さ台形状の長い突起物９や、円柱状の長い突起物１１があげられる。
なお、鍵の施錠用作動体１３は鍵２の回転操作によってドア１５より出たり引っ込んだりする施錠部品である。また、ドア取っ手の閉鎖用作動体１４は取っ手１６の回転操作によりドア１５から出入りするドア１５のドア枠との固定部品である。ドア１５を開けるときは取っ手を必ず回す必要があり、閉める時は取っ手を回さなくても閉める反動で閉まるよう片側面は曲面になっている。
図１では異なる突起物をいろいろな位置に設けた例であって、突起物を一定形状にするとともに同一の円周上に複数設けたものでもかまわない。
また、突起物を設ける上での最大の注意点は安全性であって、突起物の先端が鋭角だったり、必要以上に長かったりすると手を怪我する原因となるので避けるべきである。最大長さは取っ手１６の表面と同じとこまでで、適当な最大長さは１センチ程度である。反対に最小長さは鍵本体１の平面より飛び出ていればよいものであるが２ミリ以上あったほうがよい。あまり短いとピッキング操作の阻害機能が低下する。
これらの突起物の長さや形状における基本的注意点は、以下にあげる全ての実施例において同じことである。
【００１３】
図２は円弧状物を突起物として構成されたものを示す。
簡単な円弧状物の例として傾斜面を有する円弧状突起物１９を示す。突起端部は傾斜した平面であるが、これに硬貨の側面のようなギザギザを加工するとさらに効果的である。また傾斜のない同一高さの円弧でもギザギザを加工して有れば良いが、凹凸のような確実な阻害効果は期待できなく同一高さで平面状であることは好ましいことではない。
もう一つの例として凹凸を設けた円弧状突起物２０を示す。この凹凸は滑らかな波状であっても構わないし、半円状であってもかまわないし、幾つ凹凸を設けても構わない。さらに傾斜させたり、凹凸の凹凸高さが異なるものを複数組合せ構成するようにしても構わない。
円弧状の突起物を設ける場合は、鍵を施錠回転するときに生じる鍵の手で持つ縦長さを直径とする回転円周７より直径の大きい円周上に設けることが基本である。それは鍵の手で持つ部分の端部１８を手の指で持って回転操作するにあたり突起物が回転を阻止しないためである。
図２では取りつけ易い鍵本体１の外周５に１９と２０を取りつけた鍵本体部分の図２１を実際に取りつけられた例の斜視図として示した。
なお、外周５に設けた場合、設けられる突起物１９や２０の先端が鍵の手で持つ縦長さを直径とする回転円周７方向へ曲げたり傾斜させたり、厚みを変えたりしてあっても構わない。
そして図示のごとく異なる２つを設けることにこだわるものではなく、１つでも良いし、同じ円弧状突起物を複数設けてもよい。そして円弧状物を隣同士に隙間無く配置し全周になるよう設けても構わないがこの場合には傾斜を付けない単なる同一高さの円弧状物で一周を構成してはならない。なぜならその面は平らになり、ピッキング道具を操作するときの支点として円滑に利用されやすいからであり、傾斜のない平らな円弧状物を取りつける場合は１つとするか、複数設ける場合は必ず間隔を設けて配置することが機能上必要である。
その他円弧状物の突起物部分は図１の例に習って先端部を一方向に曲げたり、Ｔ字状や逆さの碇状にした凸部に構成するなど効果を高めることも可能である。そしてその先端部は円弧円周に沿って構成いても良いし、円弧円周と直角にしたり自由角度円周に対して曲げてあってもよい。注意点はその先端部が鍵の手で持つ縦長さを直径とする回転円周７の中まで達しないようにしたほうが良い。しかし鍵の種類によってはこの限りでなく鍵穴を有するシリンダの回転円周４まで達しても良い場合がある。
円弧状に構成するピッキング防止装置の取り付け方法は基本的に棒状の場合と同じなので詳しい説明は示さない。円弧状のものを全周に施すものはパイプ状と同等のものとなるので次に示す図３の説明で理解可能である。
【００１４】
図３は他の構成例であってパイプ状物を突起物として用いたものを示す。
簡単なパイプ状突起物の例として傾斜面を有するパイプ状突起物２２を示す。突起端部は傾斜した平面であるが、これに硬貨の側面のようなギザギザを加工するとさらに効果的である。パイプ状の場合においてもその高さが同一でありかつ先端部が平面であることは好ましくない。
傾斜面は２つの傾斜面を有するパイプ状突起物２３のようにしてもよいし、同様にギザギザを加工してあっても構わない。また凹凸面を有するパイプ状突起物２４のようにしてもよい。なお、凹凸面を有するパイプ状突起物２４は先端部が波状物の不定形に加工したものを示しているが、同一高さの波状加工にしてもよいし、図２の円弧状突起物２０のごとく角のあるものや半円状でもよいし、先端部を一方向に曲げたり、凸部となる部分をＴ字状や逆さの碇状に構成したりして、ピッキング動作の阻害効果を高めることも可能である。
取りつけ位置についても図１や図２で説明したように鍵を施錠回転するときに生じる鍵の手で持つ縦長さを直径とする回転円周７より直径の大きい円周上に設けることが基本であるが、外周５に設けた場合、設けられる突起物の先端が鍵の手で持つ縦長さを直径とする回転円周７方向へ曲げたり傾斜させたり、厚みを変えたりしてあっても構わない。
また、突起物の先端部分を円弧円周と直角にしたり自由角度円周に対して曲げてあってもよい。注意点はその先端部が鍵の手で持つ縦長さを直径とする回転円周７の中まで達しないようにしたほうが良い。しかし鍵の種類によってはこの限りでなく鍵穴を有するシリンダの回転円周４まで達しても良い場合がある。
図３では取りつけ易い鍵本体１の外周５に２２を取りつけた鍵本体部分の図２５を実際に取りつけられた例の斜視図として示した。
また図３ではパイプ状突起物が円柱状で示したが、多角柱でもよいし、平面部分に凹凸や絵、自由デザインなどを施してあってもよいし、波状柱にしたり、所々に自由形状の穴を設けても構わない。これは図２の円弧状の場合も同じことが可能である。
【実施例２】
【００１５】
図４は他の実施例であって既存の鍵などに別個に接着して使用する装置を示すもので、既存の鍵などに対応したものである。
まず単純に凸状の突起物２８を複数設けた別個に接着して使用する装置２７は鍵本体１の通し穴２６を有しており、これをドア１５に装着した斜視図３１のごとく、鍵本体１の周囲に装着できるようになっている。
従ってその裏面は平面であり接着剤が付けてあるかもしくは取付け時に接着剤を塗布するもので、ドア１５の鍵本体１の周囲に接着出来る様になっている。この接着剤は簡単に手の力で剥がせない程度の接着強度を有するものが適切である。
しかし、引越しで取り外さなければならない時や、取り替えたい場合にはスクレッパーや接着剤の溶融剤などを用いて取り外せることが望ましい。取り外せるのであれば防犯効果がないように思われるが取り外しには時間がかかるとともに、作業時に音が発生するなどの異常が生じるので、取りつけた以外の人間がこの作業をしようとすることは異常状態と見られるばかりでなく、他人に不信感を与えることになるので問題はない。
また、鍵本体１が多少段差形状を有する場合は、裏面を段差に合わせて加工しておけばよい。
突起物が可能なかぎり鍵の手で持つ縦長さを直径とする回転円周７に近づくことが防犯効果を高くする要因である。
この図では卵を半分にしたような凸状の突起物２８を例としているが、その形状や数は自由であり、実施例１であげた形状の突起物など同様に加工して形成することができる。
さらに、犬のデザインをした別個に接着して使用する装置２９は、犬の顔に凹凸を付けてあるばかりでなく鍵本体１の通し穴２６の周囲に凹凸状の突起物となる犬の歯３０が設けてある。
このようにライオンやサメなど動物を用いたり、バラやコスモスをデザインして花びらを突起物としたり、自動車にしてタイヤ部分を突起物にしたり、土星をモチーフにして土星の輪が突起物となるようにしたり、メガホン状にしたり、ミッキーマウスなどのキャラクタをデザインしたりあらゆる形のあるものや絵が鍵本体１の通し穴さえ設ければ突起物を構成する別個に接着して使用する装置２６として製作することができる。
こうすると、同じ設計による一戸建ての家屋が沢山ある団地などにおいて、各家庭が異なるデザインの装置を装着していれば自分の家の判別に役立つという利点も生じてくる。
なお、突起物は鍵２の回転時に手や指を怪我しないように設計することは言うまでもない。
また鍵本体１とドア１５の端部との距離が短く貼りつけるものがドア１５をはみ出す場合などは、はみ出す部分の接着剤が機能しないように油紙などを貼りつけるか、またははみ出し部分に接着剤を塗布しておかなければはみ出しても支障ない。接着剤はあくまでもドア側につけるものである。
但しはみ出さない設計にすることが最良であるが、はみ出してもそれが手で剥がせる端部とならないような硬い材質で装置を構成すれば問題ない。
貼り付け部分は硬質で、突起物は軟質というように異質に設計してもよい。
【００１６】
図５は取っ手に鍵がある場合の装置の例を示しており、取っ手と一体鋳型で構成しようが、部品として構成しようが、接着型として構成しようが技術的思想は図１から図４までの説明で明白であるので、この場合の特徴点のみ説明する。
取っ手に鍵がついている場合は、基本的に鍵は取っ手の中心部にあり、少し取っ手外周より窪んでいる位置にあるのが一般的である。
従って突起物は鍵穴の長さを直径とする円周から取っ手の外円周までに設ければ良いものであるが、取っ手外周が円滑な円であることはこれを利用して突起物の妨害を避けて外周円を利用しピッキング道具の円滑回転操作を行う可能性があるので、取りつける装置は取っ手外周が円滑な円とならないよう突起物をはみ出させることが理想的である。
この場合、はみ出した突起物の表面や先端は鋭利な形状を避けて手や身体を傷つけない形状とするよう注意が必要である。
取っ手に鍵がある場合の装置３２はその簡単な例を示すもので、取っ手の鍵本体１がある面の窪みに合わせて窪んだ形に形成され、凸状の長い突起物３４が複数設けられている。この突起物は鍵本体１の通し穴２６の部分に少し飛び出して構成した例を示しているが、飛び出さなくても構わない。鍵２の回転操作に支障なければ飛び出しているほうが防犯効果が高いということである。また、凸状の長い突起物３４の凸部高さは鍵本体１の通し穴２６に近いところは低く、取っ手１６の外周方向に向かって高く構成され、鍵本体１と取っ手６の先端部４０を直線状に結ぶ線より高くなるよう構成すれば効果が高い。
取っ手１６との接着は取っ手に鍵がある場合の装置３２の裏面にあたる接着剤を塗布する面３９に接着剤をあらかじめ塗布しておくか、取りつけるときに塗布すれば良い。
これを一点鎖線部分で断面にすると取っ手に鍵がある場合の装置の断面図３３のごとくなる。
さらに防犯効果をあげたい場合は、取っ手に鍵がある場合において端面に突起物を設けた装置の断面図３５のごとく取っ手に鍵がある場合においての端面の突起物３６を設ければよい。これは一つの例であって突起物３６の形状は波型でも凹凸角状でも、不ぞろいでも構わない。
この断面図におけるｈは窪みの高さを表しており、取っ手１６の窪み高さと一致するほうが良いものであるが、多少のはみ出しや寸足らずは機能に不足を与えるものではない。突起物がピッキング操作を阻害する高さになっていれば機能的に問題ないものである。
これを実際に取っ手１６に接着する例を取っ手に鍵がある場合の他の例による装置３７で示している。この装置では凸状の長い突起物３４のほかに突起物が半球状突起物３８が千鳥状に設けてあり、このように色々な形状の突起物を組合せても構わない。また図のごとく鍵本体１の通し穴２６部分から外周まで一部が欠けて開いていてもいてもよい。このような開放部を設けた場合は開放部を下にして取付けたほうがよい。開放部を上向きにすると雨天の時などに取っ手と装置の段差部分が水たまりとなるので好ましくない。
取っ手に鍵がある場合の装置は図示のごとくに限らず接着面が符合するものであれば図１から図４までのものも採用できる。また、鍵本体１の通し穴２６の形状も図のごとく円柱状に限るものではなく、四角、多角、楕円などのほかデザインした不定形であっても構わない。
なお、以上にあげた全ての装置において、突起物自体や突起物の先端部が軟質であれば安全性も防犯性も向上する。同様に突起物が鍵本体１の外周の円周に沿って多少回動するものも効果的であるが、その回動が９０度以上するものは好ましくなく、４５度以下にするのがよい。回動するものにするには既知の技術によって回動する突起物を部品として分けて製造し嵌めこむか、組立てれるようにすれば実現することが可能であるので特に図示しない。
【産業上の利用可能性】
【００１７】
単一鍵で新規な鍵もしくは既存の鍵にピッキングを防止もしくは阻止できる機能を付加させるもので、一般家屋のドア鍵、集合住宅のドア鍵、各種門鍵、倉庫、シャッター、自動車などの乗物、金庫などあらゆる鍵の防犯対策に寄与するもので、構造も簡単であり、汎用性があるとともに、高い利用性があるものである。
特に既存の鍵に装着できるタイプのものは、鍵本体や時にはドア自体まで変えなければ防犯に成らないようなことが避けられ、既存家屋にとって改造することなく防犯性を向上するのために必要とされるものである。
【図面の簡単な説明】
【００１８】
【図１】突起物が鍵本体に構成された実施例の斜視図（実施例１）
【図２】突起物が円弧状物で構成された斜視図
【図３】突起物がパイプ状に構成された斜視図
【図４】既存の鍵などに接着して使用する装置の実施例の斜視図（実施例２）
【図５】取っ手に鍵がある場合に突起物を設けた斜視図
【符号の説明】
【００１９】
１    鍵本体
２    鍵
３    鍵穴
４    鍵穴を有するシリンダの回転円周
５    鍵本体１の外周
６    鍵穴の長さを直径とする円周
７    鍵の手で持つ縦長さを直径とする回転円周
８    ５の円周外に設けられた短い突起物
９    ７の円周外に設けられた断面逆さ台形状の長い突起物
１０  ５の円周外に設けられた断面Ｔ字状の突起物
１１  ７の円周外に設けられた円柱状の長い突起物
１２  ５の円周外に設けられた端部の一方向に凸部を設けた突起物
１３  鍵の施錠用作動体
１４  ドア取っ手の閉鎖用作動体
１５  ドア
１６  取っ手
１７  鍵の４と一致する端部
１８  ７を構成する鍵の手で持つ部分の端部
１９  傾斜面を有する円弧状突起物
２０  凹凸を設けた円弧状突起物
２１  １９と２０を取りつけた鍵本体部分の斜視図
２２  傾斜面を有するパイプ状突起物
２３  ２つの傾斜面を有するパイプ状突起物
２４  凹凸面を有するパイプ状突起物
２５  ２２を取りつけた鍵本体部分の斜視図
２６  鍵本体１の通し穴
２７  別個に接着して使用する装置の斜視図
２８  凸状の突起物
２９  犬のデザインをした別個に接着して使用する装置の斜視図
３０  犬の歯
３１  ２７をドア１５に装着した斜視図
３２  取っ手に鍵がある場合の装置
３３  取っ手に鍵がある場合の装置の断面図
３４  凸状の長い突起物
３５  取っ手に鍵がある場合において端面に突起物を設けた装置の断面図
３６  取っ手に鍵がある場合においての端面の突起物
３７  取っ手に鍵がある場合の他の例による装置
３８  半球状突起物
３９  接着剤を塗布する面
４０  取っ手の先端部
【図１】
2005220680.tif 000003
【図２】
2005220680.tif 000004
【図３】
2005220680.tif 000005
【図４】
2005220680.tif 000006
【図５】
2005220680.tif 000007